(57)【要約】【課題】光源の位置によらず、光源からの光を遮光でき、かつ、静電気放電を防止することができる電子機器を提供すること。【解決手段】操作パネル１４のキートップ１４１は、キートップ本体１４１Ａと、このキートップ本体１４１Ａに一体的に設けられたフランジ部１４１Ｂとを備えている。フランジ部１４１Ｂは、キートップ本体１４１Ａの押し下げ方向先端側の側面に形成されており、回路基板１４３と略平行に延びる延出部１４１Ｂ１と、この延出部１４１Ｂ１からキートップ本体１４１Ａ基端側に向かって立ち上がって形成された立上部１４１Ｂ２とを備えた断面Ｌ字型形状となっている。【選択図】  図１５
2004272094.tif 000002
【特許請求の範囲】
【請求項１】
光源と、この光源を収納する筐体とを備えた電子機器であって、
前記筐体内部に配置され、当該電子機器を操作するスイッチと、このスイッチの位置に応じて配置され、スイッチを押圧するためのキートップとを備え、
前記筐体には、筐体内部に向かって延びるリブを周囲に備えた孔が形成され、前記キートップは、前記孔から突出するキートップ本体と、このキートップ本体に設けられ、前記リブの延出方向先端側及び前記リブの外周側を囲むフランジ部とを備えていることを特徴とする電子機器。
【請求項２】
請求項１に記載の電子機器において、
前記筐体は、非導電性の樹脂製であることを特徴とする電子機器。
【請求項３】
請求項１又は２に記載の電子機器において、
前記キートップにより前記スイッチを押圧した際に、
前記筐体のリブの外周面と、前記フランジ部とは、押圧方向に沿って少なくとも０．５ｍｍ以上重なりあっていることを特徴とする電子機器。
【請求項４】
請求項１から３の何れかに記載の電子機器において、
前記スイッチ及び前記キートップは、前記光源の近傍に配置されていることを特徴とする電子機器。
【請求項５】
請求項１から４の何れかに記載の電子機器において、
前記光源から射出された光束を画像情報に応じて変調して光学像を形成する光変調装置と、前記光変調装置で変調された色光を合成する色合成光学系と、前記色合成光学系で合成された色光を拡大投写する投写光学系とを備えたプロジェクタであることを特徴とする電子機器。
【発明の詳細な説明】
【０００１】
【発明の属する技術分野】
本発明は、内部に光源を有する電子機器に関する。
【０００２】
【背景技術】
従来から、筐体内部に光源を有する電子機器、例えば、光源から射出された光束を画像情報に応じて変調して光学像を形成し、拡大投写するプロジェクタが使用されている。
このようなプロジェクタの筐体には、操作パネルが形成されており、この操作パネルに形成された孔からは、筐体内部に配置された回路基板に信号を送るための操作ボタン（キートップ）が露出している。回路基板には、スイッチが実装されており、この操作ボタンを押し下げることで、スイッチが押圧され、信号が回路基板に送信されて、プロジェクタの各種機能、例えば、出力音量調整機能を発揮させる構成となっている（特許文献１）。
【０００３】
【特許文献１】
特開２００１−３５６４１５号公報（第５頁、図１参照）
【０００４】
【発明が解決しようとする課題】
しかしながら、このようなプロジェクタでは、光源の位置によっては、例えば、操作パネル付近に光源が配置されている場合には、操作ボタンを押し下げた際等に、孔と、操作ボタンとの間の隙間から光源の光が漏れ、使用者に不快感を与えてしまうという問題がある。
また、操作ボタンから回路基板までの沿面距離や、操作ボタンからスイッチのリード端子までの沿面距離が短い場合には、操作ボタンと、孔との間の隙間から侵入した静電気が回路基板やリード端子に放電されてしまうという問題もある。
【０００５】
本発明の目的は、光源の位置によらず、光源からの光を遮光でき、かつ、静電気放電を防止することができる電子機器を提供することである。
【０００６】
【課題を解決するための手段】
本発明の電子機器は、光源と、この光源を収納する筐体とを備えた電子機器であって、前記筐体内部に配置され、当該電子機器を操作するスイッチと、このスイッチの位置に応じて配置され、スイッチを押圧するためのキートップとを備え、前記筐体には、筐体内部に向かって延びるリブを周囲に備えた孔が形成され、前記キートップは、前記孔から突出するキートップ本体と、このキートップ本体に設けられ、前記リブの延出方向先端側及び前記リブの外周側を囲むフランジ部とを備えていることを特徴とする。
【０００７】
ここで、本発明の電子機器としては、例えば、スキャナー、コピー機、プロジェクタ等が挙げられる。
本発明によれば、筐体の孔に形成されたリブの先端側及び外周側は、孔から突出するキートップ本体に設けられたフランジ部により囲まれている。そのため、キートップ本体と孔との間に形成される隙間は、フランジ部により筐体内部側から遮蔽されることとなり、これにより、光源の光が隙間から漏れてしまうことを防止することができる。従って、筐体内部の光源の位置によらず、自由な位置にスイッチやキートップ等を配置することができる。
また、キートップのフランジ部は、リブの外周側を囲む構造となっており、リブの外周面とフランジ部とが重なった状態となっている。キートップを押し下げてスイッチを押圧した際のキートップの移動量よりも、リブの外周面とフランジ部との重なり寸法が大きければ、キートップを押し下げた際においても光漏れを防止することが可能となる。
さらに、キートップをフランジ部を備える構造としたので、このフランジ部が設けられていないキートップに比べ、キートップからスイッチが実装される回路基板までの沿面距離や、スイッチのリード端子までの沿面距離を長くすることができる。これにより静電気放電を防止できる。
【０００８】
本発明では、前記筐体は、非導電性の樹脂製であることを特徴とする。
筐体が非導電性の樹脂製である場合には、静電気が特に発生しやすい。そのため、より効果的に静電気の放電を防止できる。
また、筐体を樹脂製とすることで、製造コストを低減させることもできる。
【０００９】
さらに、本発明では、前記キートップにより前記スイッチを押圧した際に、前記筐体のリブの外周面と、前記フランジ部とは、押圧方向に沿って少なくとも０．５ｍｍ以上重なりあっていることが好ましい。
本発明によれば、スイッチを押圧した際に、リブの外周面とフランジ部とが０．５ｍｍ以上重なり合っているため、スイッチを押圧した状態においても確実に光漏れを防止できる。
【００１０】
以上のような構造のキートップは、光漏れを確実に防止できるので、スイッチ及びキートップを光源の近傍に配置することも可能である。
さらに、以上のような電子機器は前記光源から射出された光束を画像情報に応じて変調して光学像を形成する光変調装置と、前記光変調装置で変調された色光を合成する色合成光学系と、前記色合成光学系で合成された色光を拡大投写する投写光学系とを備えたプロジェクタとして使用することができる。
【００１１】
【発明の実施の形態】
以下、本発明の実施の一形態を図面に基づいて説明する。
（１）外観構成
図１は、本実施形態に係るプロジェクタ１を上方前面側から見た斜視図である。図２は、プロジェクタ１を下方前面側から見た斜視図である。図３は、プロジェクタ１を後方背面側から見た斜視図である。
プロジェクタ１は、光源から射出された光束を画像情報に応じて変調し、スクリーン等の投写面上に拡大投写する。このプロジェクタ１は、図１ないし図３に示すように、略直方体状の外装ケース２（筐体）、およびこの外装ケース２から露出する投写レンズ３を備えている。
投写レンズ３は、プロジェクタ１の本体部分により画像情報に応じて変調された光学像を拡大投写する。この投写レンズ３は、筒状の鏡筒内に複数のレンズが収納された組レンズとして構成され、複数のレンズの相対位置を変更するレバー３Ａ（図１）を備え、投写像のフォーカス調整、および倍率調整可能に構成されている。
【００１２】
外装ケース２は、合成樹脂製の筐体であり、プロジェクタ１の本体部分を収納する。この外装ケース２は、図１ないし図３に示すように、プロジェクタ１の上部分を覆うアッパーケース１１と、プロジェクタ１の下部分を覆うロアーケース１２と、プロジェクタ１の背面部分を覆うリアケース１３（図３）とを備えている。これらアッパーケース１１、ロアーケース１２およびリアケース１３は、ねじ等により固定され、適宜着脱可能に構成されている。
アッパーケース１１は、図１ないし図３に示すように、プロジェクタ１の上面、前面、および側面をそれぞれ構成する上面部１１Ａ、前面部１１Ｂ、および側面部１１Ｃ（図１），１１Ｄ（図２、図３）を含んで構成される。
【００１３】
このうち、上面部１１Ａおよび前面部１１Ｂは、図１または図３に示すように、プロジェクタ１の上面から前面にかけて、凸曲面を有するように連続して形成されている。また、前面部１１Ｂの左右方向両端部、上面部１１Ａの左右方向両端部、および上面部１１Ａの後方側端部には、面取加工が施され、この加工部分１１１が上面部１１Ａおよび前面部１１Ｂを囲うように連続して形成されている。
【００１４】
この上面部１１Ａにおいて、後方側略中央部分には、図１または図３に示すように、プロジェクタ１の起動・調整操作を実施する操作パネル１４が左右方向に延びるように設けられている。この操作パネル１４については詳しくは後述するが、押釦スイッチ（タクトスイッチ）で構成され、複数の操作ボタン（キートップ）１４１を適宜押下することにより、操作パネル１４内部に配置される図示しない回路基板に実装されたタクトスイッチと接触し、所望の操作が可能となる。また、この操作パネル１４は、操作ボタン１４１を囲うように化粧板１４２が設けられている。この化粧板１４２は、導光板としての機能を有し、プロジェクタ１の駆動時には、各操作ボタン１４１に応じた位置に、操作名称が発光するように構成されている。
なお、前述した操作パネル１４の回路基板は、後述する制御基板と電気的に接続され、操作ボタン１４１の押下に伴う操作信号は、制御基板に出力される。
また、この上面部１１Ａにおいて、前方側略中央部分には、複数の孔１５が形成され、この内側に配置される図示しないスピーカから該孔１５を介して音声が出力される。
さらに、この上面部１１Ａにおいて、前方から見て右側部分には、図１に示すように、前述した投写レンズ３のレバー３Ａを露出させ、該レバー３Ａの操作を可能にする切り欠き１６が形成されている。
【００１５】
また、この前面部１１Ｂにおいて、前方から見て左側部分には、図１に示すように、排気口１７が形成され、内部に配置される冷却ファンから排気される空気が該排気口１７を介して排出される。また、この排気口１７には、左右方向に延び、それぞれ平行に配列する複数の羽根板１７Ａ１を有するルーバ１７Ａが取り付けられている。このルーバ１７Ａは、排出される空気を整流するとともにプロジェクタ１内外間の遮光機能も備えている。
さらに、この前面部１１Ｂにおいて、前方から見て右側部分には、図１に示すように、前述した切り欠き１６と連続し、略円形状の切り欠き１８が形成されている。そして、この切り欠き１８は、投写レンズ３の先端部分を露出させている。
さらにまた、この前面部１１Ｂにおいて、前方から見て上方側略中央部分には、図１に示すように、リモコン受光窓１９が形成されている。そして、このリモコン受光窓１９の内側には、後述するリモートコントローラからの操作信号を受信する図示しないリモコン受光モジュールが配置されている。
なお、図示しないリモコン受光モジュールは、後述する制御基板と電気的に接続され、該リモコン受光モジュールにて受信した操作信号は、制御基板に出力される。また、図示は省略するが、これらリモコン受光窓およびリモコン受光モジュールは、プロジェクタ１の背面側にも設けられている。そして、プロジェクタ１の前方および後方の双方からリモートコントローラを用いてプロジェクタ１の遠隔操作を実施できるように構成されている。
【００１６】
側面部１１Ｃ，１１Ｄは、図１ないし図３に示すように、前述した上面部１１Ａおよび前面部１１Ｂの形状に対応して、前方に向かうにしたがって下方に曲折し、後方に向かうにしたがって背面側に曲折する形状を有している。
これら側面部１１Ｃ，１１Ｄにおいて、後方側端部には、投写レンズ３の投写方向と逆方向に突出し、上下方向に延びる突起２０が形成されている。
【００１７】
ロアーケース１２は、図１ないし図３に示すように、プロジェクタ１の底面、側面、および背面の一部をそれぞれ構成する底面部１２Ａ（図２）、側面部１２Ｂ（図１），１２Ｃ（図２、図３）、および背面部１２Ｄ（図３）を含んで構成される。
このうち、底面部１２Ａは、図２に示すように、略平板状の底面部分から斜め上方に向けて突出する突出部１２Ａ１が形成されている。この突出部１２Ａ１は、アッパーケース１１とロアーケース１２とが接続された状態で、アッパーケース１１の加工部分１１１と連続するように形成されている。そして、この底面部１２Ａは、プロジェクタ１の底面を構成するとともに、アッパーケース１１の前面部１１Ｂと接続してプロジェクタ１の前面を構成する。
【００１８】
この底面部１２Ａにおいて、下方から見て左側略中央部分には、矩形状の開口２１が形成されている。この開口２１には、該開口２１を覆うランプカバー２２が着脱自在に設けられている。
また、この底面部１２Ａにおいて、下方から見て右側で後方側の隅部は、内側に凹む段付き形状を有している。そして、この隅部には、外部から冷却空気を吸入するための吸気口２３が形成されている。この吸気口２３には、該吸気口２３を覆う吸気口カバー２３Ａが着脱自在に設けられている。この吸気口カバー２３Ａには、複数の開口２３Ｂが形成されている。そして、これら開口２３Ｂ内側には、図示しないエアフィルタが設けられており、内部への塵埃の侵入を防止している。
【００１９】
さらに、この底面部１２Ａにおいて、下方から見て後方側略中央部分には、プロジェクタ１の脚部を構成する固定脚部２４が設けられている。また、底面部１２Ａにおける前方側の左右角隅部分には、同じくプロジェクタ１の脚部を構成する調整脚部２５が設けられている。
このうち、調整脚部２５は、底面部１２Ａから面外方向に進退自在に突出する軸状部材から構成され、プロジェクタ１の投写時における該プロジェクタ１の前後方向および左右方向の傾斜位置を調整可能としている。
また、この底面部１２Ａにおいて、固定脚部２４の左右両側には、プロジェクタ１内外に空気を流通可能とする空気流通孔２６，２７が形成されている。この空気流通孔２６，２７を介して流通する空気により、該空気流通孔２６，２７に対応して配置されるプロジェクタ１内部の構成部材に発生する熱を放熱させている。
【００２０】
さらにまた、この底面部１２Ａにおいて、前方側略中央部分には、投写方向に延びる２つの膨出部２８が形成されている。この膨出部２８は、中空状に形成され、その内側には、突出部１２Ａ１に形成された２つの孔１２Ａ２を介して、プロジェクタ１を運搬する際に利用されるハンドル２９が設置されている。そして、ハンドル２９は、平面視コ字状のハンドル本体２９１を含んで構成され、このハンドル本体２９１は、底面部１２Ａの裏面側に固定される図示しない本体設置部材により投写方向に進退可能に取り付けられている。また、このハンドル本体２９１のコ字状先端部分は、該ハンドル本体２９１が投写方向に突出した際に、図示しない本体設置部材により底面部１２Ａの面外方向に所定角度、回動可能に軸支される。すなわち、ハンドル本体２９１を把持してプロジェクタ１を吊り下げ状態とした場合には、プロジェクタ１の重心位置がハンドル本体２９１のコ字状端縁にて形成される平面内に位置する。
【００２１】
側面部１２Ｂ，１２Ｃは、図１ないし図３に示すように、前方側が上方から下方に向けて曲折する形状を有し、投写方向略中央部分が上方に向かうにしたがって外側に拡がる凹曲面状に形成され、後方端部が背面側に曲折するように形成されている。そして、これら側面部１２Ｂ，１２Ｃは、アッパーケース１１の側面部１１Ｃ，１１Ｄと接続してプロジェクタ１の側面を構成する。
これら側面部１２Ｂ，１２Ｃにおいて、前方側には、図２または図３に示すように、底面部１２Ａに設けられた調整脚部２５に対応して調整ボタン３０が設けられている。そして、この調整ボタン３０を押下することにより、調整脚部２５が進退駆動し、プロジェクタ１の前後方向および左右方向の傾斜位置が調整される。なお、図２または図３では、側面部１２Ｃに設けられた調整ボタン３０のみが示されているが、側面部１２Ｂも同様に調整ボタン３０が設けられている。
【００２２】
また、これら側面部１２Ｂ，１２Ｃにおいて、後方側端部には、図３に示すように、投写レンズ３の投写方向と逆方向に突出し、上下方向に延びる突起３１が形成されている。そして、この突起３１は、前述したアッパーケース１１の側面部１１Ｃ，１１Ｄに形成された突起２０と接続し、これら突起２０，３１は、プロジェクタ１を縦置きする際の脚部として機能する。
背面部１２Ｄは、後方側に凸となる凸曲面を有するように形成されている。
この背面部１２Ｄにおいて、後方から見て右側には、図３に示すように、矩形状の開口３２が形成され、この開口３２を介してインレットコネクタ３３が露出する。また、この背面部１２Ｄの内側には、図示は省略するが、リアケース１３の下端を支持する支持部、およびリアケース１３を上方から嵌め込むための溝部が形成されている。
【００２３】
図４は、リアケース１３を上方から見た平面図である。
リアケース１３は、図３に示すように、ロアーケース１２の背面部１２Ｄの内側に形成された図示しない溝部に嵌め込み式で固定され、アッパーケース１１とロアーケース１２とが接続された状態で背面に形成される開口部分を塞ぐ。このリアケース１３は、図３または図４に示すように、略矩形状の板体１３１と、この板体１３１の下端縁から該板体１３１に略直交して突出する突出部１３２と、同様に板体１３１の上端縁から突出する突出部１３３（図４）と、板体１３１の左右方向略中央部分から略直交して突出し、リアケース１３を２つの領域に区画する隔壁１３４とを備える。
このうち、突出部１３２，１３３の先端は、図４に示すように、後方側に凸となるように形成されている。そして、アッパーケース１１、ロアーケース１２、およびリアケース１３を組み立てた状態では、突出部１３２の先端は、ロアーケース１２の背面部１２Ｄの上端と接続し、突出部１３３の先端は、アッパーケース１１の上面部１１Ａの後方側端部と接続する。すなわち、リアケース１３の板体１３１は、プロジェクタ１の背面から内側に離隔配置されている。
以上、説明したアッパーケース１１、ロアーケース１２、およびリアケース１３の形状により、これらが組み立てられた外装ケース２は、上面、前面、側面、底面、および背面の角部分が適宜、省略され、略流線形状を有するように構成されている。
【００２４】
このリアケース１３において、隔壁１３４により区画された領域のうち、後方から見て左側に位置する領域の板体１３１には、図３に示すように、複数の孔１３１Ａが形成され、この複数の孔１３１Ａを介して、外部の電子機器からの画像信号、音声信号等を入力するための複数の接続端子３４が外部に露出している。この領域に位置する板体１３１の内側には、接続端子３４から入力される信号を処理する図示しないインターフェース基板が配置されている。
なお、このインターフェース基板は、後述する制御基板と電気的に接続され、インターフェース基板にて処理された信号は、制御基板に出力される。
【００２５】
図５は、リアケース１３におけるリモートコントローラ３５の設置位置を示す図である。
リアケース１３において、隔壁１３４により区画された領域のうち、後方から見て右側に位置する領域には、図３ないし図５に示すように、リモートコントローラ３５（図５）を収納するリモコン収納部３６が設けられている。
リモートコントローラ３５は、プロジェクタ１における電源のオンオフや、画像の再生および停止、音量の調節等を実施する図示しない複数の操作ボタンを有する。そして、このリモートコントローラ３５は、前述のリモコン受光窓１９を介して内部のリモコン受光モジュールに、離間位置から操作信号を送信して、プロジェクタ１の遠隔操作を実施する。
リモコン収納部３６は、図５に示すように、リアケース１３における区画された右側の領域に嵌合し、一方の端面に開口部３６１を有する箱状部材であり、透明または半透明な材料から構成され、内部が視認可能となっている。そして、このリモコン収納部３６は、図４に示すように、開口部３６１と対向する側の端部が、突出部１３２，１３３の後方から見て右側隅部分にて軸支され、プロジェクタ１の上面部１１Ａまたは底面部１２Ａと略直交する軸を中心として回動可能に構成されている。
【００２６】
（２）内部構成
図６、図７は、プロジェクタ１の内部構造を示す図である。具体的には、図６は、プロジェクタ１のアッパーケース１１を外した図であり、図７は、図６の状態から制御基板等をさらに外した図である。
外装ケース２の内部には、図６または図７に示すように、プロジェクタ１の本体部分が収納されており、この本体部分は、投写方向略中央部分で左右方向に延び、一方の端部が前方に延びる平面視略Ｌ字状の光学ユニット４（図７）と、この光学ユニット４の上方で投写レンズ３側に配置される制御基板５（図６）と、背面部分および一方の側面部分に沿って平面視略Ｌ字状に配置される電源ユニット６と、吸気口２３および排気口１７に応じた位置、および電源ユニット６の角隅部分に配置される３つの冷却ファンを含む冷却ユニット７（図７）とを備える。
【００２７】
（２−１）光学ユニット４の構造
図８は、光学ユニット４の光学系を模式的に示す図である。
光学ユニット４は、光源装置から射出された光束を画像情報に応じて変調して光学像を形成し、投写レンズ３を介してスクリーン上に投写画像を形成するものである。この光学ユニット４は、図７または図８に示すように、インテグレータ照明光学系４１と、色分離光学系４２と、リレー光学系４３と、光変調装置および色合成光学装置を一体化した光学装置４４と、これら光学部品４１，４２，４３，４４を収納配置するライトガイド４５（図７）とに機能的に大別される。
インテグレータ照明光学系４１は、光源から射出された光束を照明光軸直交面内における照度を均一にするための光学系である。このインテグレータ照明光学系４１は、図８に示すように、光源装置４１１、第１レンズアレイ４１２、第２レンズアレイ４１３、偏光変換素子４１４、および重畳レンズ４１５を備えて構成される。
【００２８】
光源装置４１１は、放射光源としての光源ランプ４１６、リフレクタ４１７、およびリフレクタ４１７の光束射出面を覆う防爆ガラス４１８を備える。そして、光源ランプ４１６から射出された放射状の光束は、リフレクタ４１７で反射されて略平行光束とされ、外部へと射出される。本実施形態では、光源ランプ４１６として、高圧水銀ランプを採用し、リフレクタ４１７として、放物面鏡を採用している。なお、光源ランプ４１６としては、高圧水銀ランプに限らず、例えばメタルハライドランプやハロゲンランプ等を採用してもよい。また、リフレクタ４１７として放物面鏡を採用しているが、これに限らず、楕円面鏡からなるリフレクタの射出面に平行化凹レンズを配置した構成を採用してもよい。
【００２９】
第１レンズアレイ４１２は、照明光軸方向から見てほぼ矩形状の輪郭を有する小レンズがマトリクス状に配列された構成を具備している。各小レンズは、光源ランプ４１６から射出された光束を部分光束に分割し、照明光軸方向に射出する。
第２レンズアレイ４１３は、第１レンズアレイ４１２と略同様の構成であり、小レンズがマトリクス状に配列された構成を具備する。この第２レンズアレイ４１３は、重畳レンズ４１５とともに、第１レンズアレイ４１２の各小レンズの像を光学装置４４の後述する液晶パネル４４１Ｒ，４４１Ｇ，４４１Ｂ上に結像させる機能を有する。
【００３０】
偏光変換素子４１４は、第２レンズアレイ４１３からの光を略１種類の偏光光に変換するものであり、これにより、光学装置４４での光の利用効率が高められている。
具体的に、偏光変換素子４１４によって略１種類の偏光光に変換された各部分光束は、重畳レンズ４１５によって最終的に光学装置４４の後述する液晶パネル４４１Ｒ，４４１Ｇ，４４１Ｂ上にほぼ重畳される。偏光光を変調するタイプの液晶パネル４４１Ｒ，４４１Ｇ，４４１Ｂを用いたプロジェクタでは、１種類の偏光光しか利用できないため、ランダムな偏光光を発する光源ランプ４１６からの光束の略半分が利用されない。このため、偏光変換素子４１４を用いることにより、光源ランプ４１６から射出された光束を略１種類の偏光光に変換し、光学装置４４における光の利用効率を高めている。なお、このような偏光変換素子４１４は、例えば、特開平８−３０４７３９号公報に紹介されている。
【００３１】
色分離光学系４２は、２枚のダイクロイックミラー４２１，４２２と、反射ミラー４２３とを備える。インテグレータ照明光学系４１から射出された複数の部分光束は、２枚のダイクロイックミラー４２１により赤（Ｒ）、緑（Ｇ）、青（Ｂ）の３色の色光に分離される。
リレー光学系４３は、入射側レンズ４３１と、リレーレンズ４３３と、ＵＶカットフィルタ４３４と、反射ミラー４３２，４３５とを備えている。このリレー光学系４３は、色分離光学系４２で分離された色光である青色光を光学装置４４の後述する液晶パネル４４１Ｂまで導く機能を有している。
【００３２】
この際、色分離光学系４２のダイクロイックミラー４２１では、インテグレータ照明光学系４１から射出された光束のうち、緑色光成分と青色光成分とは透過し、赤色光成分は反射する。ダイクロイックミラー４２１によって反射した赤色光は、反射ミラー４２３で反射し、フィールドレンズ４２４を通って、赤色用の液晶パネル４４１Ｒに到達する。このフィールドレンズ４２４は、第２レンズアレイ４１３から射出された各部分光束をその中心軸（主光線）に対して平行な光束に変換する。他の液晶パネル４４１Ｇ，４４１Ｂの光入射側に設けられたフィールドレンズ４２４も同様である。
【００３３】
また、ダイクロイックミラー４２１を透過した青色光と緑色光のうちで、緑色光は、ダイクロイックミラー４２２によって反射し、フィールドレンズ４２４を通って、緑色光用の液晶パネル４４１Ｇに到達する。一方、青色光は、ダイクロイックミラー４２２を透過してリレー光学系４３を通り、さらにフィールドレンズ４２４を通って、青色光用の液晶パネル４４１Ｂに到達する。
なお、青色光にリレー光学系４３が用いられているのは、青色光の光路の長さが他の色光の光路長さよりも長いため、光の発散等による光の利用効率の低下を防止するためである。すなわち、入射側レンズ４３１に入射した部分光束をそのまま、フィールドレンズ４２４に伝えるためである。なお、リレー光学系４３には、３つの色光のうちの青色光を通す構成としたが、これに限らず、例えば、赤色光を通す構成としてもよい。
【００３４】
光学装置４４は、入射された光束を画像情報に応じて変調してカラー画像を形成する。この光学装置４４は，色分離光学系４２で分離された各色光が入射される３つの入射側偏光板４４２と、各入射側偏光板４４２の後段に配置される３つの視野角補正板４４３と、各視野角補正板４４３の後段に配置される光変調装置としての液晶パネル４４１Ｒ，４４１Ｇ，４４１Ｂおよび射出側偏光板４４４と、色合成光学装置としてのクロスダイクロイックプリズム４４５とを備える。
【００３５】
液晶パネル４４１Ｒ，４４１Ｇ，４４１Ｂは、例えば、ポリシリコンＴＦＴをスイッチング素子として用いたものであり、対向配置される一対の透明基板内に液晶が密封封入されている。そして、この液晶パネル４４１Ｒ，４４１Ｇ，４４１Ｂは、入射側偏光板４４２および視野角補正板４４３を介して入射する光束を画像情報に応じて変調して射出する。なお、この液晶パネル４４１Ｒ，４４１Ｇ，４４１Ｂは、図示しない保持枠により収納保持されている。
【００３６】
入射側偏光板４４２は、色分離光学系４２で分離された各色光のうち、一定方向の偏光光のみ透過させ、その他の光束を吸収するものであり、サファイアガラス等の基板に偏光膜が貼付されたものである。
また、射出側偏光板４４４も、入射側偏光板４４２と略同様に構成され、液晶パネル４４１Ｒ，４４１Ｇ，４４１Ｂから射出された光束のうち、所定方向の偏光光のみ透過させ、その他の光束を吸収するものであり、透過させる偏光光の偏光軸は、入射側偏光板４４２における透過させる偏光光の偏光軸に対して直交するように設定されている。
【００３７】
視野角補正板４４３は、基板上に液晶パネル４４１Ｒ，４４１Ｇ，４４１Ｂで形成された光学像の視野角を補正する機能を有する光学変換膜が形成されたものである。この視野角補正板４４３は、液晶パネル４４１Ｒ，４４１Ｇ，４４１Ｂで生じる複屈折を補償する。そして、この視野角補正板４４３により、投写画像の視野角が拡大され、かつ投写画像のコントラストが向上する。
クロスダイクロイックプリズム４４５は、射出側偏光板４４４から射出され、各色光毎に変調された光学像を合成してカラー画像を形成するものである。このクロスダイクロイックプリズム４４５には、赤色光を反射する誘電体多層膜と青色光を反射する誘電体多層膜とが、４つの直角プリズムの界面に沿って略Ｘ字状に設けられ、これらの誘電体多層膜により３つの色光が合成される。
以上説明した液晶パネル４４１Ｒ，４４１Ｇ，４４１Ｂ、射出側偏光板４４４およびクロスダイクロイックプリズム４４５は、一体的にユニット化されている。
【００３８】
図９は、ライトガイド４５の構造を示す図である。
ライトガイド４５は、図７または図９に示すように、射出成形等による合成樹脂製品であり、上述した光学部品４１，４２，４３，４４が収納される下ライトガイド４５１と、この下ライトガイド４５１の上面の開口部分を塞ぐ上ライトガイド４５２とを備える。
下ライトガイド４５１は、光源装置４１１が収納される光源収納部４５１Ａと、光源装置４１１を除く他の光学部品が収納される容器状に形成された部品収納部４５１Ｂと、この部品収納部４５１Ｂの外側面に形成され、投写レンズ３が設置される投写レンズ設置部４５１Ｃとを備える。
【００３９】
光源収納部４５１Ａは、下方端面の開口部４５１Ａ１（図９）および部品収納部４５１Ｂ側の図示しない開口部を有する略箱状に形成されている。そして、この光源収納部４５１Ａには、ロアーケース１２の底面部１２Ａに設けられたランプカバー２２（図２）を介して光源装置４１１が収納される。また、この光源収納部４５１Ａの前方側端面には、スリット状の図示しない開口部が形成されている。同様に、光源収納部４５１Ａの後方側端面には、スリット状の開口部４５１Ａ２（図７）が形成されている。そして、これら開口部を介して空気が光源収納部４５１Ａ内外に流通可能となっている。
部品収納部４５１Ｂ内には、具体的な図示は省略するが、光学部品４１２〜４１５，４２１〜４２４，４３１〜４３５を上方からスライド式に嵌め込むための複数の溝部が形成されている。また、部品収納部４５１Ｂ内において、図７に示すように、投写レンズ設置部４５１Ｃの内側部分に光学装置４４が設置される。さらに、部品収納部４５１Ｂにおいて、光学装置４４の後段側の側面には、図９に示すように、光源装置４１１から射出される光束を透過させる開口部４５１Ｂ１が形成されている。さらにまた、この部品収納部４５１Ｂにおいて、底面部分には、図９に示すように、光学装置４４の３つの液晶パネル４４１Ｒ，４４１Ｇ，４４１Ｂに応じた位置に開口部４５１Ｂ２が形成され、光学装置４４の偏光変換素子４１４に応じた位置に開口部４５１Ｂ３が形成されている。
【００４０】
投写レンズ設置部４５１Ｃは、部品収納部４５１Ｂの開口部４５１Ｂ１の周縁に位置し、ライトガイド４５内に設定される照明光軸に対する所定位置に投写レンズ３を設置する。そして、光源装置４１１から射出され、光学装置４４にて形成された光学像が、開口部４５１Ｂ１を介して投写レンズ３により拡大投写される。
上ライトガイド４５２は、図７に示すように、下ライトガイド４５１の部品収納部４５１Ｂにおける光学装置４４の上方を除く上端開口部分を閉塞する。この上ライトガイド４５２には、表裏を貫通して複数の開口部（例えば、開口部４５２Ａ）が形成され、この開口部を介して下ライトガイド４５１内に収納された光学部品の姿勢調整が実施される。
【００４１】
（２−２）制御基板５の構造
制御基板５は、図６に示すように、ライトガイド４５の上ライトガイド４５２の上方に配置される。この制御基板５は、ＣＰＵ（Ｃｏｎｔｒｏｌ  Ｐｒｏｃｅｓｓｉｎｇ  Ｕｎｉｔ）等の演算処理装置が実装された回路基板として構成され、プロジェクタ１全体を制御する。この制御基板５は、前述のインターフェース基板から出力される信号に基づいて液晶パネル４４１Ｒ，４４１Ｇ，４４１Ｂを駆動制御する。そして、液晶パネル４４１Ｒ，４４１Ｇ，４４１Ｂは、光変調を実施して光学像が形成される。また、この制御基板５は、前述の操作パネル１４の回路基板、および前述の図示しないリモコン受光モジュールから出力される操作信号を入力し、この操作信号に基づいてプロジェクタ１の構成部材に適宜、制御指令を出力する。
また、この制御基板５の上方には、図６に示すように、アルミニウムから構成される板状の第１シールド板５１が取り付けられている。そして、この第１シールド板５１は、制御基板５に実装される回路素子から放射される電磁波を遮蔽するとともに、外部からの電磁波も遮蔽し、雑音障害を回避している。なお、第１シールド板５１としては、アルミニウムに限らず、その他の金属で構成してもよく、また、合成樹脂等で構成し、その表面にめっき処理、または、金属蒸着処理、金属箔の貼り付け等を施したものを採用してもよい。
【００４２】
（２−３）電源ユニット６の構造
図１０は、電源ユニット６の構造を示す図である。具体的に、図１０は、電源ユニット６を下方側から見た図である。
電源ユニット６は、光源装置４１１および制御基板５等に電力を供給する。この電源ユニット６は、図６または図７に示すように、外装ケース２の背面に沿って配置される電源ブロック６１と、外装ケース２の一方の側面に沿って配置される光源駆動ブロック６２とを備え、ライトガイド４５の光源収納部４５１Ａを囲うように平面視Ｌ字状に形成されている。
電源ブロック６１は、インレットコネクタ３３に接続された電源ケーブルを通して外部から供給された電力を光源駆動ブロック６２および制御基板５等に供給する。この電源ブロック６１は、図１０に示すように、入力される交流を低電圧の直流に変換するトランスや該トランスからの出力を所定の電圧に変換する変換回路等が片面に実装された回路基板６１１と、この回路基板６１１を覆うシールド部材としての筒状部材６１２とを備える。このうち、筒状部材６１２は、アルミニウムから構成され、両端が開口された略箱状に形成されている。また、この筒状部材６１２において、光源収納部４５１Ａと対向しない端面には、複数の孔６１２Ａが形成され、光源収納部４５１Ａの後方側端面に形成されたスリット状の開口部４５１Ａ２（図７）と対向する部分は、孔等のない連続した面が形成されている。
そして、この電源ブロック６１は、回路基板６１１に実装される回路素子の発熱により、プロジェクタ１外部の温度に比して＋２０℃程度に熱せられる。
【００４３】
光源駆動ブロック６２は、光源装置４１１に安定した電圧で電力を供給する。この光源駆動ブロック６２は、図１０に示すように、電源ブロック６１から供給される電力を所定の電力に変圧するトランスや、電力蓄積用のコンデンサ、抵抗等が実装された回路基板６２１と、この回路基板６２１を覆うシールド部材としての筒状部材６２２とを備える。このうち、筒状部材６２２は、電源ブロック６１の筒状部材６１２と同様に、アルミニウムから構成され、両端が開口された略箱状に形成されている。また、この筒状部材６２２において、光源収納部４５１Ａと対向しない端面には、筒状部材６１２と同様に、複数の孔６２２Ａが形成され、光源収納部４５１Ａと対向する部分は、孔等のない連続した面が形成されている。
そして、この光源駆動ブロック６２は、回路基板６２１に実装される回路素子の発熱により、プロジェクタ１外部の温度に比して＋４０℃程度に熱せられる。すなわち、この光源駆動ブロック６２は、電源ブロック６１に比して高い発熱量を有している。
【００４４】
また、これら電源ブロック６１および光源駆動ブロック６２の上端部分には、図６に示すように、アルミニウムから構成される板状のシールド部材としての第２シールド板６３が取り付けられている。そして、この第２シールド板６３は、ライトガイド４５の光源収納部４５１Ａの上方を覆い、冷却ユニット７の後述する排気装置７４側に延びるように設置されている。
なお、筒状部材６１２、筒状部材６２２、および第２シールド板６３としては、アルミニウムに限らず、その他の金属で構成してもよく、また、合成樹脂等で構成し、その表面にめっき処理、または、金属蒸着処理、金属箔の貼り付け等を施したものを採用してもよい。
【００４５】
（２−４）冷却ユニット７の構造
図１１、図１２は、冷却ユニット７の構造を説明する図である。具体的に、図１１は、プロジェクタ１の本体部分を下方から見た図であり、図１２は、本体部分を上方から見た図である。
冷却ユニット７は、プロジェクタ１内部の発熱部材を冷却する。この冷却ユニット７は、図７、図１１、図１２に示すように、プロジェクタ１内部に外部の冷却空気を導入するシロッコファン７１と、このシロッコファン７１から吐出される冷却空気を所定位置に導く吸気側ダクト７２と、電源ユニット６に冷却空気を流通させる遠心力ファンとしてのシロッコファン７３と、プロジェクタ１内部で温められた空気を外部に排出する排気装置７４とを備える。
【００４６】
シロッコファン７１は、外装ケース２の底面部１２Ａに形成された吸気口２３（図２）に応じた位置に配置され、冷却空気を吸入する吸入口７１１（図９）が吸気口２３に対向し、吸入した冷却空気を吐出する吐出口７１２（図９）が光学ユニット４の下方側に向いている。
吸気側ダクト７２は、図１１に示すように、光学ユニット４の下方に配置され、冷却空気の図示しない導入口がシロッコファン７１の吐出口７１２（図９）と接続する。そして、この吸気側ダクト７２は、冷却空気を導出する４つの図示しない導出口を有し、これら導出口は、ライトガイド４５の底面に形成された開口部４５１Ｂ２，４５１Ｂ３（図９）と接続する。
シロッコファン７３は、図７、図１１、図１２に示すように、電源ユニット６の電源ブロック６１および光源駆動ブロック６２の間、すなわち、電源ユニット６のＬ字形状の角隅部分に配置され、冷却空気を吸入する図示しない吸入口が電源ブロック６１に対向し、吸入した冷却空気を吐出する図示しない吐出口が光源駆動ブロック６２に対向する。
【００４７】
排気装置７４は、図７、図１１、図１２に示すように、ライトガイド４５の光源収納部４５１Ａの前方側端面から外装ケース２の前面にかけて延びるように配置されている。この排気装置７４は、軸流排気ファン７４１と、プロジェクタ１内部の空気を軸流排気ファン７４１の吸入口に導く排気側第１ダクト７４２と、軸流排気ファン７４１から吐出される空気を外装ケース２の排気口１７まで導く排気側第２ダクト７４３とが一体化したユニットである。このうち、排気側第２ダクト７４３の導出口７４３Ａには、上下方向に延び、前方側が投写レンズ３から離間する方向に傾斜する複数の羽根部材７４３Ａ２を有する整流用ルーバ７４３Ａ１が設けられている。
【００４８】
（３）操作パネル１４の構造
前述したように、操作パネル１４は、上面部１１Ａの後方側略中央部分に設けられており、この操作パネル１４の下方には、ライトガイド４５の光源収納部４５１Ａに収納された光源ランプ４１６が配置されている。
図１３〜図１６を参照して操作パネル１４について説明する。
図１３に示すように、操作パネル１４は外装ケース内部に収納される回路基板１４３と、タクトスイッチ１４５と、複数のキートップ１４１と、パネル本体１４４と、化粧板１４２（図１及び図１５参照）とを備えている。
回路基板１４３には複数のタクトスイッチ１４５が実装されている。具体的には、タクトスイッチ１４５に設けられたリード端子１４５Ａを回路基板１４３に半田付けすることで、実装されている。このタクトスイッチ１４５には、その上面部から突出するとともに、内部に配置されたばね板を押し下げるためのボタン部１４５Ｂが設けられている。初期状態においては、ばね板と回路基板１４３上に形成された接点との間には隙間が形成されているが、キートップ本体１４１Ａを押下し、タクトスイッチ１４５上のボタン部１４５Ｂを押圧することで、回路基板１４３上に形成された接点にばね板が押圧される。
【００４９】
キートップ１４１は、非導電性の合成樹脂製であり、各タクトスイッチ１４５に応じた位置に配置されている。このキートップ１４１は、図１４及び図１５に示すように、キートップ本体１４１Ａと、このキートップ本体１４１Ａに一体的に設けられたフランジ部１４１Ｂとを備えている。キートップ本体１４１Ａは、例えば、円柱形状、四角柱形状、五角柱形状等であり、押し下げ方向基端側がパネル本体１４４の孔１４４Ａから突出する。また、図１６に示すように、押し下げ方向先端側の端面（タクトスイッチ１４５側）には、十字形状の突起１４１Ａ１が形成され、この突起１４１Ａ１によりタクトスイッチ１４５のボタン部１４５Ｂが押圧される。なお、初期状態において、タクトスイッチ１４５のボタン部１４５Ｂと突起１４１Ａ１との間には、例えば０．３ｍｍ程度の隙間が形成されている。
再度、図１５に示すようにフランジ部１４１Ｂは、キートップ本体１４１Ａの押し下げ方向先端側の側面に形成されており、パネル本体１４４の内側に位置している。回路基板１４３と略平行に延びる延出部１４１Ｂ１と、この延出部１４１Ｂ１からキートップ本体１４１Ａ基端側に向かって立ち上がって形成された立上部１４１Ｂ２とを備えた断面Ｌ字型形状となっている。
【００５０】
以上のような複数のキートップ１４１は、図１３及び図１４に示すように、回路基板１４３と略同様の大きさ形状のベース枠１４６に取付けられている。具体的には、ベース枠１４６から枠内部に向かって支持材１４６Ａが延びており、この支持材１４６Ａの先端側がキートップ１４１のフランジ部１４１Ｂに固定されることで、キートップ１４１が支持材１４６Ａに支持され、ベース枠１４６にキートップ１４１が取り付けられる。なお、各キートップ１４１はそれぞれ２本の支持材１４６Ａにより支持されている。
【００５１】
パネル本体１４４は、図１３に示すように、非導電性の樹脂製の板状部材である。このパネル本体１４４は、アッパーケース１１の上面部１１Ａに一体成形されているが、ここでは、パネル本体１４４のみを図示している。
パネル本体１４４の中央部分は、内側（回路基板１４３側）に窪んでおり、この窪んだ部分には、タクトスイッチ１４５の配置に応じて複数の孔１４４Ａが形成されている。この孔１４４Ａからは、キートップ本体１４１Ａが突出している。なお、前記窪み部分には、前記複数の孔１４４Ａに応じた孔が形成された化粧板１４２が嵌め込まれる。化粧板１４２の孔からもキートップ本体１４１Ａが露出する。この化粧板１４２は、取り外し可能であり、必要に応じて交換することができる。
孔１４４Ａの周縁には、図１５及び図１６に示すように、外装ケース２内部（回路基板１４３側）に向かって延びるリブ１４４Ｂが形成されており、このリブ１４４Ｂの先端側は、キートップ１４１のフランジ部１４１Ｂの延出部１４１Ｂ１により囲まれ、外周側はフランジ部１４１Ｂの立上部１４１Ｂ２により囲まれている。
【００５２】
初期状態においては、リブ１４４Ｂの外周面先端側と、キートップ１４１のフランジ部１４１Ｂの延出部１４１Ｂ１とは当接した状態であり、キートップ１４１のフランジ部１４１Ｂの立上部１４１Ｂ２と、リブ１４４Ｂ外周面とは、キートップ１４１の押し下げ方向に沿って、例えば、０．８ｍｍ程度重なり合っている。
キートップ１４１のキートップ本体１４１Ａの押し下げ量（移動量）が０．３ｍｍ程度である場合には、キートップ本体１４１Ａを押し下げた際においても、立上部１４１Ｂ２と、リブ１４４Ｂの外周面とは０．５ｍｍ程度重なり合うこととなる。
【００５３】
（４）実施形態の効果
このような本実施形態によれば、以下の効果を奏することができる。
（４−１）パネル本体１４４の孔１４４Ａに形成されたリブ１４４Ｂの先端側及び外周側は、キートップ本体１４１Ａに設けられ、パネル本体１４４の内側に位置するフランジ部１４１Ｂにより囲まれている。そのため、キートップ本体１４１Ａと孔１４４Ａとの間に形成される隙間は、フランジ部１４１Ｂによりパネル本体１４４内部側から遮蔽されることとなり、これにより、キートップ本体１４１Ａと、孔１４４Ａとの間の隙間からの光漏れを防止することができる。従って、光源ランプ４１６の配置位置によらず、操作パネル１４の位置を自由に設定することができ、本実施形態のように、光源ランプ４１６の上方に配置することも可能となる。
【００５４】
（４−２）また、キートップ１４１のフランジ部１４１Ｂは、リブ１４４Ｂの外周側を囲む構造となっており、リブ１４４Ｂの外周面とフランジ部１４１Ｂとが重なった状態となっている。キートップ１４１を押し下げてタクトスイッチ１４５を押圧した際のキートップ１４１の移動量よりも、リブ１４４Ｂの外周面とフランジ部１４１Ｂとの重なり寸法が大きいため、キートップ１４１を押し下げた際においても光漏れを防止することが可能となる。本実施形態では、光源ランプ４１６の上方に操作パネル１４が設けられているので、特に効果的に光漏れを防止できる。
【００５５】
（４−３）さらに、キートップ１４１をフランジ部１４１Ｂを備える構造としたので、このフランジ部が設けられていないキートップに比べ、図１５に示すように、キートップ本体１４１Ａの基端側から回路基板１４３までの沿面距離Ｌ１、キートップ本体１４１Ａの基端側からリード端子１４５Ａまでの沿面距離Ｌ２を長くすることができる。これにより、キートップ本体１４１Ａと孔１４４Ａとの間の隙間から侵入した静電気が回路基板１４３や、リード端子１４５Ａで放電してしまうことを防止できる。特に、パネル本体１４４、キートップ１４１は非導電性の樹脂で構成されており、静電気が発生しやすいため、より効果的に静電気放電を防止できる。
【００５６】
（４−４）また、静電気放電を防止しするために、ゴム製のキートップを使用することも考えられるが、この場合、外観が良好でない。これに対し、本実施形態では、キートップ１４１を樹脂製とすることができるので、外観を向上させることができる。
（４−５）また、外装ケース２や、パネル本体１４４、キートップ１４１を樹脂製としたので、金属製や、金属めっきのケース等を使用する場合に比べ、製造コストの低減を図ることができる上、リサイクル性も向上させることができる。
【００５７】
（４−６）操作パネル１４は、アッパーケース１１の上面部１１Ａの後方側略中央部分に設けられているため、プロジェクタ１の操作を行う作業者がプロジェクタ１の後方に座って操作パネル１４を容易に操作することができる。
（４−７）操作パネル１４のパネル本体１４４の窪み部分には、化粧板１４２がはめ込まれており、この化粧板１４２のみを取り外すことが可能となっている。そのため、例えば、日本語で操作名称が記載された化粧板を英語で操作名称が記載された化粧板に容易に変更することができ、使い勝手のよいものとすることができる。
【００５８】
（５）実施形態の変形
なお、本発明は前述の実施形態に限定されるものではなく、本発明の目的を達成できる範囲での変形、改良等は本発明に含まれるものである。
例えば、前記実施形態では、初期状態において、キートップ１４１のフランジ部１４１Ｂの立上部１４１Ｂ２と、リブ１４４Ｂ外周面とは、キートップ１４１の押し下げ方向に沿って、０．８ｍｍ程度重なり合っており、また、キートップ本体１４１Ａを押し下げた際においても、立上部１４１Ｂ２と、リブ１４４Ｂの外周面とは０．５ｍｍ程度重なり合うとしたが、これに限らず、適宜、寸法を設定すればよい。
【００５９】
また、前記実施形態では、平面Ｌ字型のライトガイド４５を使用したが、これに限らず、例えば、平面Ｕ字形のライトガイドを使用してもよい。前記実施形態では、平面Ｌ字型のライトガイド４５を使用しているため、上面部１１Ａの後方側略中央部分に設けられた操作パネル１４は、光源ランプ４１６の上方に配置されるものとなったが、平面Ｕ字形のライトガイドを使用すれば、操作パネル１４を、上面部１１Ａの後方側略中央部分に設けても、光源ランプの上方に配置されることはなく、より確実に操作パネル１４からの光漏れを防止できる。
【００６０】
さらに、前記実施形態では、キートップ１４１のフランジ部１４１Ｂを断面Ｌ字形形状としたが、これに限らず、リブ１４４Ｂの先端側及び外周面を囲む形状であればよい。例えば、図１７に示すように、断面Ｔ字形形状のフランジ部１４１Ｃとしてもよく、また、図１８に示すように、リブ１４４Ｂの内周面を囲む立上部１４１Ｂ３を有するフランジ部１４１Ｄとし、この立上部１４１Ｂ２，１４１Ｂ３間にリブ１４４Ｂの先端に嵌め込むような構造としてもよい。このような形状とすることで、沿面距離をさらに長く確保することができ、さらに確実に静電気の放電を防止できる。
【００６１】
また、前記実施形態では、複数のキートップ１４１をベース枠１４６に固定したが、各キートップ１４１はベース枠１４６に固定されていないものとしてもよい。
ただし、この場合には、各キートップ１４１を一つずつタクトスイッチ１４５上に配置しなければならないので、手間がかかる。これに対し、前記実施形態のように、ベース枠１４６に複数のキートップ１４１を固定することで、一度に複数のキートップ１４１をタクトスイッチ１４５上に配置することが可能となり、キートップ１４１の設置にかかる手間を省くことができる。
さらに、前記実施形態では、リード端子１４５Ａを回路基板１４３に半田付けする構造のタクトスイッチ１４５を使用したが、このような構造のものに限らず、例えば、回路基板１４３にリード端子を差し込む構成のタクトスイッチを用いてもよい。
また、前記実施形態では、電子機器をプロジェクタ１としたが、これに限らず、光源を有する電子機器であればよく、例えば、スキャナー、コピー機としてもよい。
【図面の簡単な説明】
【図１】本実施形態に係るプロジェクタを上方前面側から見た斜視図。
【図２】前記実施形態におけるプロジェクタを下方前面側から見た斜視図。
【図３】前記実施形態におけるプロジェクタを後方背面側から見た斜視図。
【図４】前記実施形態におけるリアケースを上方から見た平面図。
【図５】前記実施形態におけるリアケースにおけるリモートコントローラの設置位置を示す図。
【図６】前記実施形態におけるプロジェクタの内部構造を示す図。
【図７】前記実施形態におけるプロジェクタの内部構造を示す図。
【図８】前記実施形態における光学ユニットの光学系を模式的に示す図。
【図９】前記実施形態におけるライトガイドの構造を示す図。
【図１０】前記実施形態における電源ユニットの構造を示す図。
【図１１】前記実施形態における冷却ユニットの構造を説明する図。
【図１２】前記実施形態における冷却ユニットの構造を説明する図。
【図１３】前記実施形態のプロジェクタの操作パネルの分解斜視図。
【図１４】前記操作パネルのキートップを示す斜視図。
【図１５】前記操作パネルの断面図。
【図１６】図１３と異なる方向から見た操作パネルの分解斜視図。
【図１７】操作パネルの変形例を示す断面図。
【図１８】操作パネルの他の変形例を示す断面図。
【符号の説明】
１…プロジェクタ、２…外装ケース（筐体）、３…投写レンズ、１４１…キートップ、１４１Ａ…キートップ本体、１４１Ｂ，１４１Ｃ，１４１Ｄ…フランジ部、１４２…タクトスイッチ、１４４Ａ…孔、１４４Ｂ…リブ、４１６…光源ランプ
【図１】
2004272094.tif 000003
【図２】
2004272094.tif 000004
【図３】
2004272094.tif 000005
【図４】
2004272094.tif 000006
【図５】
2004272094.tif 000007
【図６】
2004272094.tif 000008
【図７】
2004272094.tif 000009
【図８】
2004272094.tif 000010
【図９】
2004272094.tif 000011
【図１０】
2004272094.tif 000012
【図１１】
2004272094.tif 000013
【図１２】
2004272094.tif 000014
【図１３】
2004272094.tif 000015
【図１４】
2004272094.tif 000016
【図１５】
2004272094.tif 000017
【図１６】
2004272094.tif 000018
【図１７】
2004272094.tif 000019
【図１８】
2004272094.tif 000020